(57)【要約】【課題】防水性の高い建築板の施工構造、この施工構造に用いられる保持具及び屋根の改修方法を提供する。【解決手段】複数の建築板（新設屋根板１０）の端部が階段状に重ねられて構造物下地に施工される建築板の施工構造は、構造物下地に固定され、前記端部の重なり部分においてそれぞれの前記端部が差し込まれて該端部を保持する保持具３を備える。【選択図】図１
2018178701.tif 000002
【特許請求の範囲】
【請求項１】
複数の建築板の端部が階段状に重ねられて構造物下地に施工された建築板の施工構造であって、
前記構造物下地に固定され、前記端部の重なり部分においてそれぞれの前記端部が差し込まれて該端部を保持する保持具を備えたことを特徴とする建築板の施工構造。
【請求項２】
請求項１に記載の建築板の施工構造において、
前記構造物下地には、複数の既設建築板の端部が階段状に重ねられて施工されており、
前記保持具は、前記既設建築板の間に差込固定されていることを特徴とする建築板の施工構造。
【請求項３】
請求項２に記載の建築板の施工構造において、
前記建築板及び前記既設建築板は、略矩形状をなしており、
前記建築板の板幅は、前記既設建築板の曝露部と略同一幅であることを特徴とする建築板の施工構造。
【請求項４】
請求項３に記載の建築板の施工構造において、
前記建築板は、前記曝露部に接着固定されていることを特徴とする建築板の施工構造。
【請求項５】
請求項１に記載の建築板の施工構造において、
前記保持具は、前記建築板の裏側において前記構造物下地に固着具で固定されていることを特徴とする建築板の施工構造。
【請求項６】
請求項１〜５のいずれか１項に記載の建築板の施工構造において、
前記建築板は、階段状に並ぶ方向と直交する方向に突付けて施工されており、
この突付け部分の裏側に捨て板が配置され、
この捨て板の少なくとも前記直交する方向の両端縁に堰部が形成されたことを特徴とする建築板の施工構造。
【請求項７】
請求項５又は請求項６に記載の建築板の施工構造において、
前記構造物下地には、複数の既設建築板の端部が階段状に重ねられて施工されており、
前記保持具は、前記既設建築板の曝露部において、前記構造物下地に前記固着具で固定されていることを特徴とする建築板の施工構造。
【請求項８】
請求項２〜４，７のいずれか１項に記載の建築板の施工構造において、
前記建築板及び前記既設建築板は、いずれも屋根板であることを特徴とする建築板の施工構造。
【請求項９】
請求項１〜８のいずれか１項に記載の建築板の施工構造に用いられる前記保持具であって、
前記構造物下地に固定される固定片と、
前記固定片から表側に延びて前記端部の重なり部分においてそれぞれの前記端部が差し込まれて該端部を保持する保持片と、
を有することを特徴とする保持具。
【請求項１０】
複数の既設屋根板が階段状に重ねられ、これら既設屋根板上に新設屋根板を施工する屋根の改修方法であって、
前記新設屋根板を棟側の前記既設屋根板の曝露部上にセットした状態で、前記既設屋根板の前記重なり部分に保持具を差し込んで、当該保持具により前記新設屋根板の軒側端部を保持する工程と、
他の新設屋根板の棟側端部を前記保持具と軒側の前記既設屋根板との間に差し込んで当該他の新設屋根板を前記軒側の既設屋根板の曝露部上にセットする工程と、
を繰り返し行って、前記新設屋根板を前記複数の既設屋根板上に施工することを特徴とする屋根の改修方法。
【請求項１１】
複数の既設屋根板が階段状に重ねられ、これら既設屋根板上に新設屋根板を施工する屋根の改修方法であって、
前記新設屋根板を棟側の前記既設屋根板の曝露部上にセットした状態で、保持具により前記新設屋根板の軒側端部を保持し、前記保持具を軒側の前記既設屋根板上に固定する工程と、
他の新設屋根板の棟側端部を前記保持具により保持して当該他の新設屋根板を前記軒側の既設屋根板の曝露部上にセットする工程と、
を繰り返し行って、前記新設屋根板を前記複数の既設屋根板上に施工することを特徴とする屋根の改修方法。
【請求項１２】
請求項１０又は請求項１１に記載の屋根の改修方法において、
前記棟側の前記既設屋根板の曝露部上に前記新設屋根板をセットする際に、該新設屋根板を前記曝露部に接着固定することを特徴とする屋根の改修方法。
【発明の詳細な説明】
【技術分野】
【０００１】
本発明は、建築板の施工構造、これに用いられる保持具及び屋根の改修方法に関し、詳しくは、複数の建築板の端部が階段状に重ねられて構造物下地に施工される建築板の施工構造、これに用いられる保持具及び屋根の改修方法に関する。
【背景技術】
【０００２】
特許文献１には、軒側から棟側に向かって平板屋根材が重ね葺きされる屋根構造が開示されている。この屋根構造では、平板屋根材に通した釘等の固着具を野地板に打入することで、平板屋根材が野地板に固定されている。
【先行技術文献】
【特許文献】
【０００３】
【特許文献１】特開平１０−１０２６８５号公報
【発明の概要】
【発明が解決しようとする課題】
【０００４】
しかしながら、上記屋根構造では、平板屋根材に釘等の固着具が貫通する孔が形成されるため、防水上好ましくない。
【０００５】
本発明は前記事情に鑑みてなされたものであって、防水性の高い建築板の施工構造、この施工構造に用いられる保持具及び屋根の改修方法を提供することを目的とする。
【課題を解決するための手段】
【０００６】
前記目的を達成するために本発明に係る一態様の建築板の施工構造は、複数の建築板の端部が階段状に重ねられて構造物下地に施工された建築板の施工構造であって、前記構造物下地に固定され、前記端部の重なり部分においてそれぞれの前記端部が差し込まれて該端部を保持する保持具を備えたことを特徴とする。
【０００７】
また、本発明に係る一態様の保持具は、前記建築板の施工構造に用いられる前記保持具であって、前記構造物下地に固定される固定片と、前記固定片から表側に延びて前記端部の重なり部分においてそれぞれの前記端部が差し込まれて該端部を保持する保持片と、を有することを特徴とする。
【０００８】
また、本発明に係る一態様の屋根の改修方法は、複数の既設屋根板が階段状に重ねられ、これら既設屋根板上に新設屋根板を施工する屋根の改修方法であって、前記新設屋根板を棟側の前記既設屋根板の曝露部上にセットした状態で、前記既設屋根板の前記重なり部分に保持具を差し込んで、当該保持具により前記新設屋根板の軒側端部を保持する工程と、他の新設屋根板の棟側端部を前記保持具と軒側の前記既設屋根板との間に差し込んで当該他の新設屋根板を前記軒側の既設屋根板の曝露部上にセットする工程と、を繰り返し行って、前記新設屋根板を前記複数の既設屋根板上に施工することを特徴とする。
【０００９】
また、本発明に係る一態様の屋根の改修方法は、複数の既設屋根板が階段状に重ねられ、これら既設屋根板上に新設屋根板を施工する屋根の改修方法であって、前記新設屋根板を棟側の前記既設屋根板の曝露部上にセットした状態で、保持具により前記新設屋根板の軒側端部を保持し、前記保持具を軒側の前記既設屋根板上に固定する工程と、他の新設屋根板の棟側端部を前記保持具により保持して当該他の新設屋根板を前記軒側の既設屋根板の曝露部上にセットする工程と、を繰り返し行って、前記新設屋根板を前記複数の既設屋根板上に施工することを特徴とする。
【発明の効果】
【００１０】
本発明に係る一態様の建築板の施工構造、この施工構造に用いられる保持具及び屋根の改修方法では、防水性の高い建築板の施工構造とすることができる。
【図面の簡単な説明】
【００１１】
【図１】図１は、本発明に係る第１実施形態の建築板の施工構造を示した断面図である。
【図２】図２は、同上の建築板の施工構造の斜視図である。
【図３】図３は、同上の建築板を保持する保持具を施工する様子を一部断面で示した斜視図である。
【図４】図４は、同上の保持具で建築板を保持した状態を一部断面で示した斜視図である。
【図５】図５は、第２実施形態の建築板の施工構造を示した斜視図である。
【図６】図６は、同上の建築板の施工構造の断面図である。
【図７】図７は、同上の建築板の施工構造に用いられる保持具の斜視図である。
【図８】図８は、同上の建築板の施工構造に用いられる捨て板の斜視図である。
【図９】図９は、同上の保持具を用いて屋根板が屋根下地に直接葺設された建築板の施工構造の断面図である。
【発明を実施するための形態】
【００１２】
以下、添付図面に基づいて、本発明を屋根の改修に適用した例について説明する。
【００１３】
（第１実施形態）
図１に示す第１実施形態の建築板は、屋根の改修に用いられる屋根板１０であって、既設の屋根２を下地（構造物下地）として葺設される。
【００１４】
以下、既設の屋根２を既設屋根２という。また、屋根板１０を、既設屋根２の屋根板２０と区別するため、新設屋根板１０という。
【００１５】
本実施形態の建築板の施工構造は、複数の新設屋根板１０の端部が、階段状に重ねられて既設屋根２上に施工された構造であり、既設屋根２と、複数の新設屋根板１０と、既設屋根２に固定され複数の新設屋根板１０を保持する複数の保持具３とを備えている。
【００１６】
本実施形態の既設屋根２は、野地２１と、野地２１の上に敷かれた下葺材２５と、野地２１の上に下葺材２５を介して葺かれた複数の屋根板２０とを備えている。以下、屋根板２０を既設屋根板２０という。
【００１７】
下葺材２５は、例えばアスファルトルーフィングであって、シート状に形成されている。本実施形態の既設屋根板２０は、平面視略矩形板状のスレート瓦であって、セメント系成形材料を成形し、養生硬化することで製造される。
【００１８】
複数の既設屋根板２０は、図３に示すように、野地２１上に、軒棟方向と軒方向との両方向に並べて設置されている。ここで、軒棟方向とは屋根の勾配方向であり、軒方向とは軒棟方向と直交する水平方向である。すなわち、軒棟方向は、新設屋根板１０が階段状に並ぶ方向であり、軒方向は、新設屋根板１０が階段状に並ぶ方向と直交する方向である。
【００１９】
図１に示すように、複数の既設屋根板２０は、軒棟方向に隣接する既設屋根板２０のうち、軒側の既設屋根板２０に棟側の既設屋根板２０が表側から重ね合わされている。すなわち、複数の既設屋根板２０は、軒棟方向に隣接する既設屋根板２０の幅方向（軒棟方向）端部が階段状に重ねられて既設屋根下地２１に施工されている。更に言い換えれば、軒棟方向に隣接する既設屋根板２０にあっては、一方の既設屋根板２０（軒側の既設屋根板２０）の隣接方向他方側（棟側）の部分に、他方の既設屋根板２０（棟側の既設屋根板２０）の隣接方向一方側の部分が表側から重なり合っている。
【００２０】
複数の既設屋根板２０は、軒方向に隣接する既設屋根板２０同士を突付けた状態で、野地２１上に設置されている。ここで、「突付け」とは、軒方向に隣接する屋根板２０のうちの一方の端面と、他方の端面とを突き合せることを意味する。既設屋根板２０の上面は、棟側に隣接した既設屋根板２０によって覆われる被覆部２２と、棟側に隣接した既設屋根板２０によって覆われずに露出した曝露部（露出部）２３とを備えている。
【００２１】
既設屋根板２０の被覆部２２には、釘やビス等の固着具２４が厚み方向に貫通している。固着具２４は、下葺材２５を介して野地２１に打入されており、これにより、既設屋根板２０は野地２１に固定されている。
【００２２】
図１及び図３に示すように、複数の新設屋根板１０は、複数の既設屋根板２０の上に、軒棟方向と軒方向との両方向に並べて設置されている。本実施形態の新設屋根板１０は、既設屋根板２０と同様の平板状のスレート瓦であって、セメント系成形材料を成形し、養生硬化することで製造される。
【００２３】
本実施形態の新設屋根板１０は、各既設屋根板２０の曝露部２３上に載置されており、対応する曝露部２３を表側から覆っている。図１に示すように、新設屋根板１０の厚みＴｎは、既設屋根板２０の厚みＴｏと略同じである。図３に示すように新設屋根板１０の軒方向の長さＢｎ１は、既設屋根板２０の軒方向の長さＢｏ１と同じである。
【００２４】
図１に示すように、新設屋根板１０の軒棟方向の幅Ｂｎ２は、対応する既設屋根板２０の曝露部２３の軒棟方向の幅Ｂｏ２と略同じである詳しくは新設屋根板１０の軒棟方向の幅は、曝露部２３の軒棟方向の幅よりもわずかに大きく、新設屋根板１０の軒側端部は、対応する既設屋根板２０よりも軒側に突出している。
【００２５】
複数の新設屋根板１０は、軒棟方向に隣接する新設屋根板１０のうち、軒側の新設屋根板１０の棟側端部に、棟側の新設屋根板１０の軒側端部が表側から階段状に重なり合うように既設屋根板２０上に設置されている。
【００２６】
すなわち、軒棟方向に隣接する新設屋根板１０にあっては、一方の新設屋根板１０の隣接方向他方側の端部に、他方の新設屋根板１０の隣接方向一方側の端部が表側から重なり合うように施工されている。
【００２７】
図２に示すように、軒方向に隣接する新設屋根板１０同士は、突付けられている。すなわち、新設屋根板１０は、軒方向に突付けて施工されている。本実施形態の建築板の施工構造では、複数の既設屋根板２０が千鳥葺で葺設され、かつ、複数の新設屋根板１０が一文字葺で葺設されている。このため、軒方向に隣接する新設屋根板１０の突付け部分と、軒方向に隣接する既設屋根板２０の突付け部分とは、軒方向において異なる位置に配置されるところと、軒方向において同じ位置に配置されるところとがある。なお、軒方向に隣接する新設屋根板１０の突付け部分と、軒方向に隣接する既設屋根板２０の突付け部分とは、屋根全体に亘って、軒方向において異なる位置に配置されてもよいし、軒方向において同じ位置に配置されてもよい。
【００２８】
図１及び図２に示すように、既設屋根２には、複数の新設屋根板１０を保持する複数の保持具３が取り付けられている。保持具３は、軒方向に延びており、保持具３の長手方向は、軒方向と一致している。
【００２９】
本実施形態の保持具３は、軒方向の長さが、新設屋根板１０及び既設屋根板２０の各々の軒方向の長さＢｎ１，Ｂｏ１よりも長い。このため、保持具３は、軒方向に並んだ複数の既設屋根板２０に亘り、かつ軒方向に並んだ複数の新設屋根板１０に亘っている。
【００３０】
本実施形態の保持具３は、図４に示すように横断面形状が長手方向に亘って一様であり、例えば、金属板を曲げ加工することにより形成される。
【００３１】
図１に示すように、保持具３は軒棟方向に隣接する新設屋根板１０の間に配置されている。以下、保持具３を介して軒棟方向に隣接する新設屋根板１０のうち、軒側に配置される一方の新設屋根板１０を軒側新設屋根板１０ａといい、棟側に配置される他方の新設屋根板１０を棟側新設屋根板１０ｂという。
【００３２】
また、以下では、軒棟方向に隣接する既設屋根板２０のうち、軒側新設屋根板１０ａによって曝露部２３が覆われる一方の既設屋根板２０を軒側既設屋根板２０ａといい、棟側新設屋根板１０ｂによって曝露部２３が覆われる他方の既設屋根板２０を棟側既設屋根板２０ｂという。
【００３３】
保持具３は、軒側新設屋根板１０ａの棟側において既設屋根２側（下地側）に固定されている。
【００３４】
本実施形態の保持具３は、固定片３０と、保持片３１とを有している。固定片３０は、軒側新設屋根板１０ａの棟側において既設屋根２側に固定される。保持片３１は、固定片３０から表側に延びて、軒側新設屋根板１０ａの棟側端部と棟側新設屋根板１０ｂの軒側端部との重なり部分において、新設屋根板１０のそれぞれの端部が差し込まれて該端部を保持する。
【００３５】
具体的に本実施形態の保持片３１は、棟側端保持片３１０と、軒側端保持片３１１とを有している。棟側端保持片３１０は、軒側新設屋根板１０ａの棟側端を保持する。軒側端保持片３１１は、棟側新設屋根板１０ｂの軒側端を保持する。
【００３６】
既設屋根２に対して固定される固定片３０は、軒棟方向に延びた板状に形成されている。固定片３０は、軒側既設屋根板２０ａと棟側既設屋根板２０ｂとの間に差し込まれて軒側既設屋根板２０ａと棟側既設屋根板２０ｂとで上下に挟まれている。これにより、固定片３０は、既設屋根２に対して固定されている。なお、固定片３０は、軒側既設屋根板２０ａを野地２１に固定するための固着具２４よりも軒側に位置している。
【００３７】
軒側新設屋根板１０ａの棟側端を保持する棟側端保持片３１０は、断面Ｌ字状に形成されており、固定片３０の軒側端から表側（上側）に向かって延びた立上片３３と、立上片３３における固定片３０とは反対側の端（表側の端）から軒側に延びた延出片３４とを備えている。つまり、棟側端保持片３１０は、固定片３０の軒側端から表側に一旦延びると共に軒側に延びている。
【００３８】
立上片３３は棟側既設屋根板２０ｂの軒側端面に沿い、かつ、軒側新設屋根板１０ａの棟側端面に沿っている。この立上片３３の上下幅は、新設屋根板１０の厚みと略同じである。
【００３９】
延出片３４は、軒側新設屋根板１０ａの棟側端部の表面に沿って配置されている。これにより、軒側新設屋根板１０ａの棟側端部は、延出片３４と軒側既設屋根板２０ａとに挟まれて、既設屋根２に対して固定されている。また、延出片３４は、棟側新設屋根板１０ｂの軒側端部の裏面に沿っている。
【００４０】
棟側新設屋根板１０ｂの軒側端を保持する軒側端保持片３１１は、断面Ｌ字状に形成されており、延出片３４の軒側端から表側に延びた支持片３５と、支持片３５における延出片３４とは反対側の端から棟側に延びた押え片３６とを備えている。つまり、軒側端保持片３１１は、棟側端保持片３１０の軒側端から表側に一旦延びると共に棟側に延びている。
【００４１】
支持片３５は、上下幅が新設屋根板１０の厚みと略同じであって、棟側新設屋根板１０ｂの軒側端面に沿っており、棟側新設屋根板１０ｂの軒側端面を支持する。押え片３６は棟側新設屋根板１０ｂの軒側端部の表面に沿っており、棟側新設屋根板１０ｂの軒側端部は押え片３６と延出片３４とで挟まれて保持されている。これにより、棟側新設屋根板１０ｂの軒側端部は、既設屋根２に対して固定されている。また、支持片３５には、水抜き孔が設けられていてもよい。なお、この水抜き孔は、その軒側に敷設された新設屋根板１０の突付け部分に対応する箇所以外の部分に形成されることが好ましい。
【００４２】
本実施形態の建築板の施工構造にあっては、棟側新設屋根板１０ｂの軒側端部及び棟側既設屋根板２０ｂの軒側端部が、保持具３の棟側端保持片３１０及び軒側端保持片３１１によってそれぞれ覆われる。このため、棟側新設屋根板１０ｂと棟側既設屋根板２０ｂとの間に、雨水が浸入し難くなっている。
【００４３】
保持具３の軒方向の長さは、図３に示す新設屋根板１０及び既設屋根板２０の各々の軒方向の長さＢｎ１，Ｂｏ１よりも長く、保持具３は、軒方向に並んだ複数の既設屋根板２０に亘り、かつ軒方向に並んだ複数の新設屋根板１０に亘る。このため、軒方向に並んだ既設屋根板２０同士の突付け部分の軒側端部、及び、軒方向に並んだ新設屋根板１０同士の突付け部分の軒側端部が、保持具３により覆われて、これらの部分からの雨水の浸入が抑制される。
【００４４】
図１に示す新設屋根板１０の既設屋根２への施工は、例えば、以下のように行われる。まず、最も棟側に配置されている軒方向に並ぶ複数の既設屋根板２０上に、接着剤４（図３参照）を塗布し、複数の新設屋根板１０をセットする。
【００４５】
次に、上述した複数の新設屋根板１０の軒側端部において、複数の保持具３を固定する。この場合、保持具３の固定は、上述の新設屋根板１０である棟側新設屋根板１０ｂがセットされた棟側既設屋根板２０ｂと、この棟側既設屋根板２０ｂの軒側に隣接した軒側既設屋根板２０ａとの間に、軒側から保持具３の固定片３０を差し込み（図３参照）、押え片３６と延出片３４との間に棟側新設屋根板１０ｂの軒側端部を差し込むことで行われる。これにより、固定片３０は両既設屋根板２０によって上下に挟まれて既設屋根２に固定され、また、当該新設屋根板１０の軒側端部が押え片３６と延出片３４との間に挟まれて固定される。
【００４６】
なお、上記のように保持具３を棟側既設屋根板２０ｂと軒側既設屋根板２０ａとの間に差し込む際には、立上片３３を棟側既設屋根板２０ｂの軒側端面に当てることで、保持具３の軒棟方向の位置決めを容易に行うことができる。
【００４７】
次に、上述した複数の棟側新設屋根板１０ｂの軒側に隣接する複数の軒側新設屋根板１０ａを、軒側既設屋根板２０ａ上に軒方向に並べてセットする。このとき、軒側新設屋根板１０ａの棟側端部を、保持具３の延出片３４と軒側既設屋根板２０ａとの間に軒側から差し込む。これにより、軒側新設屋根板１０ａの棟側端部は、保持具３の延出片３４と軒側既設屋根板２０ａとの間に挟まれて既設屋根２に固定される。
【００４８】
なお、上記のように軒側新設屋根板１０ａの棟側端部を、保持具３の延出片３４と軒側既設屋根板２０ａとの間に挿入する際には、軒側新設屋根板１０ａの棟側端面を保持具３の立上片３３に当てることで、軒側新設屋根板１０ａの軒棟方向の位置決めを容易に行うことができる。
【００４９】
次に、上述の複数の軒側新設屋根板１０ａの軒側端部において、複数の保持具３を固定する。このとき、軒側既設屋根板２０ａと、この軒側既設屋根板２０ａの更に軒側に隣接した既設屋根板２０との間に、保持具３の固定片３０を差し込んで、この保持具３の軒側端保持片３１１により、軒側新設屋根板１０ａの軒側端部を保持する。そして、以後、同様の工程を棟側から軒側に向かって順に繰り返し行うことにより、新設屋根板１０を、既設屋根２の棟から軒先に亘って施工する。
【００５０】
なお、最も棟側に位置する新設屋根板１０と、最も軒側に位置する保持具３とは、ねじ等の固着具を用いて既設屋根２に固定してもよい。この場合、複数の新設屋根板１０を既設屋根板２０に対してより強固に固定することができる。
【００５１】
また、本実施形態では、保持具３が新設屋根板１０の端部よりも長尺であったが、これに限定されない。例えば、保持具３は、新設屋根板１０の端部よりも短尺で、軒方向に並ぶ新設屋根板１０の突付け部分のみを保持するものであってもよい。
【００５２】
また、本実施形態の建築板は、既設屋根２上に施工される屋根板であるが、野地等の屋根下地に直接葺設される屋根板であってもよい。この場合、保持具３は、例えば、固定片３０が下地に対して釘やねじ等の固着具を用いて固着されることで、下地に対して固定され、この保持具３により屋根板の軒側端部が保持される。また、この場合、施工の際には、上記改修方法とは反対に、軒先から棟側に順に施工される。すなわち、まず、軒先にスタータとなる平板屋根板を野地２１に固定する。次に、野地２１におけるスタータ用屋根板の棟側の位置に保持具３の固定片３０を釘等で固定する。このとき、保持具３の延出片３４でスタータ用屋根板の棟側端を押える。次に、保持具３の軒側端保持片３１１にスタータ用屋根板の棟側に配置される屋根板の軒側端を差し込み、そして、この屋根板の棟側に新たな保持具３の固定片３０を固定し、以後、この工程を棟側に向かって繰り返し行うことにより、屋根板を屋根面全体に施工することができる。
【００５３】
（第２実施形態）
次に第２実施形態について説明する。図５及び図６に示す第２実施形態の建築板の施工構造は、複数の保持具３（図１参照）に代わる複数の保持具３Ａとを備えている。なお、保持具３Ａは、第１実施形態の保持具３と略同様の構成を有するため、以下では、保持具３Ａについて、第１実施形態の保持具３と異なる点についてのみ説明する。また、本実施形態の建築板の施工構造は、下葺材５Ａと、複数の捨て板６Ａとを更に備えている。
【００５４】
図６に示すように、複数の既設屋根板２０の表面には、下葺材５Ａが配置されている。下葺材５Ａは、例えばアスファルトルーフィングであって、シート状に形成されている。下葺材５Ａは、粘着剤を介して既設屋根２の上面全体に亘って敷かれている。なお、下葺材５Ａは、粘着剤を介することなく、ビス止め等で既設屋根板２０上に固定されていてもよい。
【００５５】
下葺材５Ａは、階段状に重ねられた複数の既設屋根板２０の表面に沿って配置されている。下葺材５Ａは、軒側既設屋根板２０ａの棟側端部と棟側既設屋根板２０ｂの軒側端部との重なり部分において階段状に曲がっており、軒側既設屋根板２０ａの表面、棟側既設屋根板２０ｂの軒側端面及び棟側既設屋根板２０ｂの表面に沿っている。
【００５６】
図５に示すように、既設屋根２の上には、下葺材５Ａを介して複数の捨て板６Ａが配置されている。各捨て板６Ａは、既設屋根板２０の曝露部２３（図６参照）上に配置され、軒方向に隣接する新設屋根板１０の突付け部分の裏側に配置されている。
【００５７】
各捨て板６Ａは、軒方向に隣接する新設屋根板１０の突付け部分から浸入した雨水を受ける。各捨て板６Ａは、例えば金属製であり、板金を曲げ加工することで一体に形成される。図８に示すように、各捨て板６Ａは、板状部６０Ａと、一対の堰部６１Ａと、端縁部６２Ａとを有している。板状部６０Ａは、軒棟方向に長い矩形板状に形成されている。板状部６０Ａは、下葺材５Ａを介して既設屋根板２０の上面に沿って配置されている（図５参照）。
【００５８】
板状部６０Ａにおける軒方向の両端には、表側に向かって突出した一対の堰部６１Ａが、それぞれ形成されている。各堰部６１Ａは、板状部６０Ａの軒棟方向の全長に亘っている。各堰部６１Ａは、板状部６０Ａの軒方向の端から表側に向かって突出した縦片６１０Ａと、縦片６１０Ａの上端から、軒方向において一対の堰部６１Ａの外側に向かって突出した横片６１１Ａとを有している。図５に示すように、一対の堰部６１Ａの横片６１１Ａには、軒方向に隣接する新設屋根板１０の突付け部分がそれぞれ載せられている。このため、例えば新設屋根板１０が踏まれる等して、新設屋根板１０に下向きの力が加わったとき、この新設屋根板１０を捨て板６Ａで支持することができ、これにより、新設屋根板１０の変形が抑制される。
【００５９】
図８に示すように、板状部６０Ａにおける棟側端には、表側に向かって突出した端縁部６２Ａが形成されている。端縁部６２Ａは、板状部６０Ａの軒方向の全長に亘っている。端縁部６２Ａは、軒方向に隣接する新設屋根板１０の突付け部分の棟側端面に沿って配置されている。一対の堰部６１Ａ及び端縁部６２Ａは、雨水が前記突付け部分から板状部６０Ａに落下して板状部６０Ａ上を流れたときに、この雨水を堰き止めて広がりを抑えつつ、この雨水を板状部６０Ａの軒側に排出されるようにガイドする。なお、端縁部６２Ａ及び一方の堰部６１Ａは、省略可能である。また、捨て板６Ａも省略可能である。
【００６０】
なお、捨て板６Ａの軒側端部は、軒側新設屋根板１０ａの棟側端部上に位置させてもよく、板状部６０Ａ上を流れた雨水が軒側新設屋根板１０ａの表面を流れることになり、防水性が向上するものである。
【００６１】
図５に示すように、複数の保持具３Ａは、複数の新設屋根板１０を保持する。保持具３Ａは、各新設屋根板１０の軒側端面に沿って左右方向に複数並べて設けられている。本実施形態では、各新設屋根板１０の軒側端部における軒方向の両側部分に、一対の保持具３Ａがそれぞれ配置されている。
【００６２】
図６に示すように、各保持具３Ａは、軒側新設屋根板１０ａの裏側において既設屋根２側に固定されている。各保持具３Ａは、第１実施形態の固定片３０（図１参照）に代えて、固定片３０Ａを有している。各保持具３Ａの固定片３０Ａは、軒棟方向に延びた板状に形成されており、立上片３３の下端から軒側に向かって突出している。すなわち、本実施形態の立上片３３は、固定片３０Ａの棟側端から表側に向かって延びている。各保持具３Ａの固定片３０Ａは、下葺材５Ａを介して棟側既設屋根板２０ｂの表面に沿って配置されている。
【００６３】
図７に示すように、固定片３０Ａには、上下方向に貫通した挿通孔３７Ａが形成されている。図６に示すように、各保持具３Ａの挿通孔３７Ａには、釘やビス等の固着具７０Ａが厚み方向に貫通している。各固着具７０Ａは、下葺材５Ａ、既設屋根板２０及び下葺材２５を順に通って野地２１に打ち込まれている。これにより、各保持具３Ａは、既設屋根２及び野地２１に対して固定されている。本実施形態の固着具７０Ａは、頭部の上面が固定片３０Ａの上面と面一となる皿頭ねじである。なお、固着具７０Ａは、皿頭ねじ以外のねじ又は釘であってもよい。
【００６４】
本実施形態の軒側新設屋根板１０ａの棟側端部は、保持具３Ａの延出片３４と、固定片３０Ａにおける延出片３４に対向する部分との間に挟まれて、既設屋根２に対して固定されている。
【００６５】
本実施形態では、棟側新設屋根板１０ｂの軒側端部の軒方向の両側部分が、一対の保持具３Ａによってそれぞれ保持される。このため、棟側新設屋根板１０ｂの新設屋根板１０が風等でバタついたりすることが抑制される。
【００６６】
また、棟側新設屋根板１０ｂの軒側端部を保持する一対の保持具３Ａは、軒方向において捨て板６Ａが一対の保持具３Ａの外側に位置するように配置される。すなわち、捨て板６Ａは、軒方向に隣接する棟側新設屋根板１０ｂのうち、一方の棟側新設屋根板１０ｂの軒側端部を保持する保持具３Ａと、他方の棟側新設屋根板１０ｂの軒側端部を保持する保持具３Ａとの間に配置されている。このため、仮に軒方向に隣接する棟側新設屋根板１０ｂの突付け部分から雨水が浸入したとしても、この雨水は捨て板６Ａの堰部６１Ａで堰き止められる。したがって、前記突付け部分から浸入した雨水が、既設屋根２において固着具７０Ａが打ち込まれた部分に至り難く、防水性が高い。
【００６７】
本実施形態の新設屋根板１０の既設屋根２への施工は、例えば、以下のように行われる。まず、下葺材５Ａを既設屋根２の上面全体に亘って敷く。次に、最も棟側に配置されている軒方向に並ぶ複数の既設屋根板２０上に、下葺材５Ａを介して複数の新設屋根板１０をセットする。この時、新設屋根板１０の軒側端部が、既設屋根板２０の軒側端部よりも僅かに軒側に突出するよう位置する。
【００６８】
次に、上述の複数の新設屋根板１０の軒側において、複数の既設屋根板２０上に複数の保持具３Ａを固定し、かつ、複数の捨て板６Ａを下葺材５Ａ上にセットする。この場合、保持具３Ａの固定は、例えば以下のように行われる。
【００６９】
まず、上述のようにセットされた新設屋根板１０である棟側新設屋根板１０ｂの軒側端部と、この棟側新設屋根板１０ｂがセットされた棟側既設屋根板２０ｂの軒側に隣接した軒側既設屋根板２０ａとの間に、軒側から保持具３Ａの棟側端保持片３１０を差し込み、この保持具３Ａの押え片３６と延出片３４との間に棟側新設屋根板１０ｂの軒側端部を差し込む。次に、固着具７０Ａを、固定片３０Ａの挿通孔３７Ａを通して、下葺材５Ａ、既設屋根板２０及び野地２１に打ち込む。これにより、保持具３Ａは既設屋根２及び野地２１に固定される。
【００７０】
また、捨て板６Ａは、棟側の端部が、棟側新設屋根板１０ｂの軒側端部と、軒側既設屋根板２０ａとの間に差し込まれた状態で、軒側既設屋根板２０ａの曝露部２３上に下葺材５Ａを介してセットされる。
【００７１】
次に複数の棟側新設屋根板１０ｂの軒側に隣接する複数の軒側新設屋根板１０ａを、複数の軒側既設屋根板２０ａの曝露部２３上に配置する。このとき、軒側新設屋根板１０ａの棟側端部を、対応する保持具３Ａの延出片３４と固定片３０Ａとの間に差し込む。また、このとき、軒側新設屋根板１０ａの軒方向の端部を、対応する捨て板６Ａの横片６１１Ａ上に載せ、かつ、この軒側新設屋根板１０ａの軒側端面を、対応する捨て板６Ａの端縁部６２Ａに沿って配置する。
【００７２】
次に複数の軒側新設屋根板１０ａの軒側において、上述と同様に、複数の保持具３Ａを固定し、かつ、複数の捨て板６Ａを下葺材２５上にセットする。すなわち、この場合、保持具３Ａの固定は、軒側新設屋根板１０ａの軒側端部と、軒側既設屋根板２０ａの更に軒側に隣接した既設屋根板２０との間に、軒側から保持具３Ａの棟側端保持片３１０を差し込み、この保持具３Ａの押え片３６と延出片３４との間に軒側新設屋根板１０ａの軒側端部を差し込むことで行われる。そして、以後、同様の工程を棟側から軒側に向かって順に繰り返し行うことにより、新設屋根板１０を、既設屋根２の棟から軒先に亘って施工する。
【００７３】
なお、最も棟側に位置する新設屋根板１０と、最も軒側に位置する保持具３Ａとは、ねじ等の固着具を用いて既設屋根２及び野地２１に固定してもよい。
【００７４】
上述した本実施形態の保持具３Ａは、図９に示すように、新設屋根板１０を野地２１に直接葺設する場合にも利用できる。図９に示す例では、保持具３Ａの固定片３０Ａが、野地２１上に下葺材２５を介して配置されており、この固定片３０Ａの挿通孔３７Ａ（図７参照）に通された固着具７０Ａが、下葺材２５を介して野地２１に固着されることにより、保持具３Ａは野地２１に対して固定されている。
【００７５】
この場合も複数の新設屋根板１０は、棟から軒先に向かって順に施工される。すなわち、まず、下葺材２５を野地２１の上面全体に亘って敷く。次に最も棟側に位置する新設屋根板１０を野地２１上に下葺材２５を介してセットする。
【００７６】
次に、上述した複数の新設屋根板１０である複数の棟側新設屋根板１０ｂの軒側において、複数の保持具３Ａを固定し、かつ、複数の捨て板６Ａを下葺材２５上にセットする。この場合、保持具３Ａの固定は、棟側新設屋根板１０ｂの軒側端部と、野地２１上の下葺材２５との間に、軒側から保持具３Ａの棟側端保持片３１０を差し込み、この保持具３Ａの押え片３６と延出片３４との間に棟側新設屋根板１０ｂの軒側端部を差し込む。次に、固着具７０Ａを、固定片３０Ａの挿通孔３７Ａ及び下葺材２５を通して、野地２１に打ち込む。これにより、保持具３Ａは野地２１に固定される。
【００７７】
また、捨て板６Ａ（図８参照）は、棟側の端部が、棟側新設屋根板１０ｂの軒側端部と、野地２１上の下葺材２５との間に差し込まれた状態で、下葺材２５上にセットされる。
【００７８】
次に複数の棟側新設屋根板１０ｂの軒側に隣接する複数の軒側新設屋根板１０ａを、野地２１上に下葺材２５を介して配置する。このとき、軒側新設屋根板１０ａの棟側端部を、対応する保持具３Ａの延出片３４と固定片３０Ａとの間に差し込む。また、このとき、軒側新設屋根板１０ａの軒方向の端部を、対応する捨て板６Ａ（図８参照）の横片６１１Ａ上に載せ、かつ、この軒側新設屋根板１０ａの軒側端面を、対応する捨て板６Ａの端縁部６２Ａに沿って配置する。
【００７９】
次に複数の軒側新設屋根板１０ａの軒側において、上述と同様に、複数の保持具３Ａを固定し、かつ、複数の捨て板６Ａを下葺材２５上にセットする。そして、以後、同様の工程を棟側から軒側に向かって順に繰り返し行うことにより、新設屋根板１０を、既設屋根２の棟から軒先に亘って施工する。
【００８０】
（補足）
以上説明した各実施形態は、適宜設計変更可能である。例えば、既設屋根板２０、新設屋根板１０及び保持具３，３Ａの各々の材質や形状は、適宜変更可能である。
【００８１】
また、上述した各実施形態の建築板は、屋根板１０であるが、建物の外壁を構成する壁板であってもよい。また、建築板は外装材に限られず、建物の内壁を構成する壁板等であってもよい。さらには、建築板は、フェンスなどの外構に設置されるものであってもよい。
【００８２】
また、上述した各本実施形態の屋根板は、全体に亘って厚みが均一な板であるが、これに限定されず、例えば、軒側端ほど厚みが大きくなる断面くさび形状の板であってもよい。このような形状により、厚み感を表現することが可能となる。
【００８３】
（効果）
以上説明した第１実施形態及び第２実施形態の建築板の施工構造は、複数の建築板（新設屋根板（１０））の端部が階段状に重ねられて構造物下地に施工された建築板の施工構造であって、以下に示す特徴を有する。構造物下地に固定され、前記端部の重なり部分においてそれぞれの前記端部が差し込まれて該端部を保持する保持具（３；３Ａ）を備える。以下、この特徴を有する建築板の施工構造を、第１の態様の建築板の施工構造という。
【００８４】
第１の態様の建築板の施工構造にあっては、階段状に重ねられて施工された複数の建築板の重なり部分において、それぞれの前記端部が保持具（３；３Ａ）に差し込まれて該端部が保持される。この場合、複数の建築板を、建築板に釘等の固着具を貫通する孔を形成することなく固定することができて、防水性を高めることができる。
【００８５】
また、第１実施形態の建築板の施工構造は、第１の態様の建築板の施工構造において、以下に示す付加的な特徴を有する。構造物下地には、複数の既設建築板（既設屋根板）の端部が階段状に重ねられて施工されている。保持具（３）は、既設建築板の間に差込固定されている。以下、この建築板の施工構造を第２の態様の建築板の施工構造という。
【００８６】
第２の態様の建築板の施工構造にあっては、建築板を既設建築板の表側に保持具（３）を用いて施工することができる。また、保持具（３）は既設建築板の間に差し込んで容易に固定することができる。
【００８７】
また、第１実施形態の建築板の施工構造は、第２の態様の建築板の施工構造において、以下に示す付加的な特徴を有する。建築板及び既設建築板は、略矩形状をなしている。建築板の板幅（Ｂｎ２）は、既設建築板の曝露部（２３）と略同一幅である。以下、この建築板の施工構造を第３の態様の建築板の施工構造という。
【００８８】
第３の態様の建築板の施工構造にあっては、既設建築板の曝露部（２３）と略同一幅の建築板を用いて、当該建築板によって構成される外観を、既設建築板の外観と同様の段差のある外観とすることができる。
【００８９】
また、第１実施形態の建築板の施工構造は、第３の態様の建築板の施工構造において、以下に示す付加的な特徴を有する。建築板は、曝露部（２３）に接着固定されている。以下、この建築板の施工構造を第４の態様の建築板の施工構造という。
【００９０】
第４の態様の建築板の施工構造にあっては、建築板が既設建築板に接着固定される。このため、保持具（３）で保持された建築板が、風などでバタついたりすることを抑制できる。
【００９１】
また、第２実施形態の建築板の施工構造は、第１の態様の建築板の施工構造において、以下に示す付加的な特徴を有する。保持具（３Ａ）は、建築板の裏側において、構造物下地に固着具（７０Ａ）で固定されている。以下、この建築板の施工構造を第５の態様の建築板の施工構造という。
【００９２】
第５の態様の建築板の施工構造にあっては、保持具（３Ａ）を固着具（７０Ａ）を用いて構造物下地に容易に固定することができる。また、構造物下地において固着具（７０Ａ）が打ち込まれた箇所は、建築板で覆われるため、雨水が浸入し難い。
【００９３】
また、第２実施形態の建築板の施工構造は、第１〜５の態様の建築板の施工構造において、以下に示す付加的な特徴を有する。建築板は、階段状に並ぶ方向と直交する方向に突付けて施工されており、この突付け部分の裏側に捨て板（６Ａ）が配置される。捨て板（６Ａ）の少なくとも前記直交する方向の両端縁に堰部（６１Ａ）が形成される。以下、この建築板の施工構造を第６の態様の建築板の施工構造という。
【００９４】
第６の態様の建築板の施工構造にあっては、隣接する建築板の突付け部分から浸入した雨水を捨て板（６Ａ）で受けて、この雨水が保持具（３Ａ）側に流れることを堰部（６１Ａ）によって抑制することができる。このため、構造物下地において固着具（７０Ａ）が打ち込まれた箇所には、雨水がより一層浸入し難くなる。
【００９５】
また、第２実施形態の建築板の施工構造は、第５又は第６の態様の建築板の施工構造において、以下に示す付加的な特徴を有する。構造物下地には、複数の既設建築板の端部が階段状に重ねられて施工されている。保持具（３Ａ）は、既設建築板の曝露部（２３）において、構造物下地に固着具（７０Ａ）で固定されている。以下、この建築板の施工構造を第７の態様の建築板の施工構造という。
【００９６】
第７の態様の建築板の施工構造にあっては、建築板を既設建築板の表側に保持具（３Ａ）を用いて施工することができる。
【００９７】
また、第１実施形態及び第２実施形態の建築板の施工構造は、第２〜４，７のいずれかの態様の建築板の施工構造において、以下に示す付加的な特徴を有する。建築板及び既設建築板は、いずれも屋根板である。以下、この建築板の施工構造を、第８の態様の建築板の施工構造という。
【００９８】
第８の態様の建築板の施工構造にあっては、保持具（３；３Ａ）を用いて、既設建築板（既設屋根板（２０））の上に建築板（新設屋根板（１０））を施工することができ、これにより、容易に屋根の改修を行うことができる。
【００９９】
また、第１実施形態及び第２実施形態の保持具（３；３Ａ）は、第１〜第８の態様の建築板の施工構造に用いられる保持具（３；３Ａ）であって、以下に示す特徴を有している。前記構造物下地に固定される固定片（３０；３０Ａ）と、固定片（３０；３０Ａ）から表側に延びて前記端部の重なり部分においてそれぞれの前記端部が差し込まれて該端部を保持する保持片（３１）と、を有する。以下、この特徴を有する保持具（３；３Ａ）を、第１の態様の保持具（３；３Ａ）という。
【０１００】
第１の態様の保持具（３；３Ａ）は、固定片（３０；３０Ａ）及び保持片（３１）が連続して形成された保持具（３；３Ａ）であり、固定片（３０；３０Ａ）を構造物下地側に固定した状態で、保持片（３１）により、前記端部の重なり部分においてそれぞれの前記端部が差し込まれて該端部を保持することができる。
【０１０１】
また、第１実施形態及び第２実施形態の屋根の改修方法は、複数の既設屋根板（２０）が階段状に重ねられ、これら既設屋根板（２０）上に新設屋根板（１０）を施工する屋根の改修方法であって、以下に示す特徴を有する。新設屋根板（１０）を棟側の既設屋根板（２０）の曝露部（２３）上にセットした状態で、既設屋根板（２０）の前記重なり部分に保持具（３）を差し込んで、保持具（３）により新設屋根板（１０）の軒側端部を保持する工程と、他の新設屋根板（１０）の棟側端部を保持具（３）と軒側の既設屋根板（２０）との間に差し込んで当該他の新設屋根板（１０）を軒側の既設屋根板（２０）の曝露部（２３）上にセットする工程と、を繰り返し行って、新設屋根板（１０）を複数の既設屋根板（２０）上に施工する。以下、この特徴を有する屋根の改修方法を、第１の態様の屋根の改修方法という。
【０１０２】
第１の態様の屋根の改修方法にあっては、保持具（３）により、新設屋根板（１０）の軒側端部と、前記他の新設屋根板（１０）の棟側端部とを保持することができる。このため、新設屋根板（１０）に釘等の固着具を貫通する孔を形成することなく固定することができて、防水性を高めることができる。また、保持具（３）は、既設屋根板（２０）の幅方向端部の重なり部分に差し込んで容易に固定することができる。
【０１０３】
また、第２実施形態の屋根の改修方法は、複数の既設屋根板（２０）が階段状に重ねられ、これら既設屋根板（２０）上に新設屋根板（１０）を施工する屋根の改修方法であって、以下に示す特徴を有する。新設屋根板（１０）を棟側の既設屋根板（２０）の曝露部（２３）上にセットした状態で、保持具（３Ａ）により新設屋根板（１０）の軒側端部を保持し、保持具（３Ａ）を軒側の既設屋根板（２０）上に固定する工程と、他の新設屋根板（１０）の棟側端部を保持具（３Ａ）により保持して当該他の新設屋根板（１０）を軒側の既設屋根板（２０）の曝露部（２３）上にセットする工程と、を繰り返し行って、新設屋根板（１０）を複数の既設屋根板（２０）上に施工する。以下、この特徴を有する屋根の改修方法を、第２の態様の屋根の改修方法という。
【０１０４】
第２の態様の屋根の改修方法にあっては、保持具（３Ａ）により、新設屋根板（１０）の軒側端部と、前記他の新設屋根板（１０）の棟側端部とを保持することができる。このため、新設屋根板（１０）に釘等の固着具を貫通する孔を形成することなく固定することができて、防水性を高めることができる。また、保持具（３Ａ）は、固着具（７０Ａ）により、軒側の既設屋根板（２０）及び屋根下地に容易に固定することができる。
【０１０５】
また、第１実施形態及び第２実施形態の屋根の改修方法は、第１又は第２の態様の屋根の改修方法において、以下に示す付加的な特徴を有している。棟側の既設屋根板（２０）の曝露部（２３）上に新設屋根板（１０）をセットする際に、該新設屋根板（１０）を曝露部（２３）に接着固定する。以下、この屋根の改修方法を第３の態様の屋根の改修方法という。
【０１０６】
第３の態様の屋根の改修方法にあっては、新設屋根板（１０）が既設屋根板（２０）に接着固定される。このため、保持具（３）で保持された新設屋根板（１０）が、風などでバタついたりすることを抑制できる。
【符号の説明】
【０１０７】
Ｂｎ２  建築板の板幅
１０  新設屋根板（建築板）
２  既設屋根
２０  既設屋根板（既設建築板）
２０ａ  軒側既設屋根板
２０ｂ  棟側既設屋根板
２１  野地（屋根下地）
２３  曝露部
３，３Ａ  保持具
３０，３０Ａ  固定片
３１  保持片
３１０  棟側端保持片
３１１  軒側端保持片
【図１】
2018178701.tif 000003
【図２】
2018178701.tif 000004
【図３】
2018178701.tif 000005
【図４】
2018178701.tif 000006
【図５】
2018178701.tif 000007
【図６】
2018178701.tif 000008
【図７】
2018178701.tif 000009
【図８】
2018178701.tif 000010
【図９】
2018178701.tif 000011